(57)【特許請求の範囲】
【請求項１】
ガスタービンに供給する燃料ガスの温度を計測する燃料ガス温度計測部と、
前記燃料ガスが燃焼器で燃焼して出力された燃焼ガスのタービン入口温度の指標値に基づいて前記燃料ガスの設定温度を算出する燃料ガス設定温度算出部と、
前記燃焼器に供給される前に前記燃料ガスを昇温する昇温装置へ当該燃料ガスを供給する弁の開度の上限値であって、前記計測した燃料ガスの温度を除く前記ガスタービンの状態パラメータに応じた前記弁の開度の上限値を算出する弁開度上限値決定部と、
さらに、前記弁の先行開度であって、前記計測した燃料ガスの温度を除く前記ガスタービンの状態パラメータに応じた前記弁の先行開度を算出する弁先行開度決定部とを備え、
前記計測した燃料ガス温度と前記設定温度との偏差と、前記弁開度上限値とをパラメータとしたフィードバック制御に基づいて、前記弁の開度を指示する開度指令信号を生成するとともに、前記計測した燃料ガス温度と前記設定温度との偏差と、前記弁開度上限値とをパラメータとしたフィードバック制御に基づいて、前記先行開度を初期値とした前記弁の開度の調整を指示する開度指令信号を生成する弁開度指令信号生成部と、
を備えることを特徴とするガスタービン制御装置。
【請求項２】
前記計測した燃料ガスの温度と、他のガスタービンの状態パラメータとに基づいて、前記燃料ガス温度計測部が直ちに計測できない現在の燃料ガスの適切な推定温度を算出する燃料ガス推定温度算出部と、を備え、
前記弁開度指令信号生成部は、前記計測した燃料ガス温度に代えて前記推定温度を用いて開度指令信号を生成する
ことを特徴とする請求項１に記載のガスタービン制御装置。
【請求項３】
前記燃料ガス設定温度算出部は、単位時間毎に繰り返して算出する前記燃料ガスの設定温度が前回の設定温度から所定温度以上増加している場合には、前回の設定温度に所定温度を加えた値を新たな設定温度として算出する
ことを特徴とする請求項１または請求項２に記載のガスタービン制御装置。
【請求項４】
ガスタービンに供給する燃料ガスの温度を計測する燃料ガス温度計測部と、
前記燃料ガスが燃焼器で燃焼して出力された燃焼ガスのタービン入口温度の指標値に基づいて前記燃料ガスの設定温度を算出し、単位時間毎に繰り返して算出する前記燃料ガスの設定温度が前回の設定温度から所定温度以上増加している場合には、前回の設定温度に所定温度を加えた値を新たな設定温度として算出する燃料ガス設定温度算出部と、
前記燃焼器に供給される前に前記燃料ガスを昇温する昇温装置へ当該燃料ガスを供給する弁の開度の上限値であって、前記計測した燃料ガスの温度を除く前記ガスタービンの状態パラメータに応じた前記弁の開度の上限値を算出する弁開度上限値決定部と、
前記計測した燃料ガス温度と前記設定温度との偏差と、前記弁開度上限値とをパラメータとしたフィードバック制御に基づいて、前記弁の開度を指示する開度指令信号を生成する弁開度指令信号生成部と、
を備えることを特徴とするガスタービン制御装置。
【請求項５】
ガスタービンに供給する燃料ガスの温度を計測する燃料ガス温度計測部と、
前記燃料ガスが燃焼器で燃焼して出力された燃焼ガスのタービン入口温度の指標値に基づいて前記燃料ガスの設定温度を算出する燃料ガス設定温度算出部と、
前記燃焼器に供給される前に前記燃料ガスを昇温する昇温装置へ当該燃料ガスを供給する弁の先行開度であって、前記計測した燃料ガスの温度を除く前記ガスタービンの状態パラメータに応じた前記弁の先行開度を算出する弁先行開度決定部と、
前記計測した燃料ガス温度と前記設定温度との偏差をパラメータとしたフィードバック制御に基づいて、前記先行開度を初期値とした前記弁の開度の調整を指示する開度指令信号を生成する弁開度指令信号生成部と、
を備えることを特徴とするガスタービン制御装置。
【請求項６】
ガスタービンに供給する燃料ガスの温度を計測する燃料ガス温度計測部と、
前記計測した燃料ガスの温度と、他のガスタービンの状態パラメータとに基づいて、前記燃料ガス温度計測部が直ちに計測できない現在の燃料ガスの適切な推定温度を算出する燃料ガス推定温度算出部と、
前記燃料ガスが燃焼器で燃焼して出力された燃焼ガスのタービン入口温度の指標値に基づいて前記燃料ガスの設定温度を算出する燃料ガス設定温度算出部と、
前記燃料ガスの前記推定温度と前記設定温度との偏差とをパラメータとしたフィードバック制御に基づいて、前記燃焼器に供給される前に前記燃料ガスを昇温する昇温装置へ当該燃料ガスを供給する弁の開度を指示する開度指令信号を生成する弁開度指令信号生成部と、
を備えることを特徴とするガスタービン制御装置。
【請求項７】
ガスタービンに供給する燃料ガスの温度を計測する燃料ガス温度計測部と、
前記燃料ガスが燃焼器で燃焼して出力された燃焼ガスのタービン入口温度の指標値に基づいて前記燃料ガスの設定温度を算出する燃料ガス設定温度算出部と、
前記計測した燃料ガスの温度と前記設定温度との偏差をパラメータとしたフィードバック制御に基づいて、前記燃焼器に供給される前に前記燃料ガスを昇温する昇温装置へ当該燃料ガスを供給する弁の開度を指示する開度指令信号を生成する弁開度指令信号生成部と
、を備え、
前記燃料ガス設定温度算出部は、単位時間毎に繰り返して算出する前記燃料ガスの設定温度が前回の設定温度から所定温度以上増加している場合には、前回の設定温度に所定温度を加えた値を新たな設定温度として算出する
ことを特徴とするガスタービン制御装置。
【請求項８】
ガスタービン制御装置の制御方法であって、
燃料ガス温度計測部が、ガスタービンに供給する燃料ガスの温度を計測し、
燃料ガス設定温度算出部が、前記燃料ガスが燃焼器で燃焼して出力された燃焼ガスのタービン入口温度の指標値に基づいて前記燃料ガスの設定温度を算出し、
さらに、弁先行開度決定部が、前記弁の先行開度であって、前記計測した燃料ガスの温度を除く前記ガスタービンの状態パラメータに応じた前記弁の先行開度を算出し、
弁開度上限値決定部が、前記燃焼器に供給される前に前記燃料ガスを昇温する昇温装置へ当該燃料ガスを供給する弁の開度の上限値であって、前記計測した燃料ガスの温度を除く前記ガスタービンの状態パラメータに応じた前記弁の開度の上限値を算出するとともに、
弁開度指令信号生成部が、前記計測した燃料ガス温度と前記設定温度との偏差と、前記弁開度上限値とをパラメータとしたフィードバック制御に基づいて、前記弁の開度を指示する開度指令信号を生成するとともに、前記計測した燃料ガス温度と前記設定温度との偏差と、前記弁開度上限値とをパラメータとしたフィードバック制御に基づいて、前記先行開度を初期値とした前記弁の開度の調整を指示する開度指令信号を生成する
ことを特徴とする制御方法。
【請求項９】
燃料ガス推定温度算出部が、前記計測した燃料ガスの温度と、他のガスタービンの状態パラメータとに基づいて、前記燃料ガス温度計測部が直ちに計測できない現在の燃料ガスの適切な推定温度を算出し、
前記弁開度指令信号生成部は、前記計測した燃料ガス温度に代えて前記推定温度を用いて開度指令信号を生成する
ことを特徴とする請求項８に記載の制御方法。
【請求項１０】
前記燃料ガス設定温度算出部は、単位時間毎に繰り返して算出する前記燃料ガスの設定温度が前回の設定温度から所定温度以上増加している場合には、前回の設定温度に所定温度を加えた値を新たな設定温度として算出する
ことを特徴とする請求項８または請求項９に記載の制御方法。
【請求項１１】
ガスタービン制御装置の制御方法であって、
燃料ガス温度計測部が、ガスタービンに供給する燃料ガスの温度を計測し、
燃料ガス設定温度算出部が、前記燃料ガスが燃焼器で燃焼して出力された燃焼ガスのタービン入口温度の指標値に基づいて前記燃料ガスの設定温度を算出し、単位時間毎に繰り返して算出する前記燃料ガスの設定温度が前回の設定温度から所定温度以上増加している場合には、前回の設定温度に所定温度を加えた値を新たな設定温度として算出し、
弁開度上限値決定部が、前記燃焼器に供給される前に前記燃料ガスを昇温する昇温装置へ当該燃料ガスを供給する弁の開度の上限値であって、前記計測した燃料ガスの温度を除く前記ガスタービンの状態パラメータに応じた前記弁の開度の上限値を算出し、
弁開度指令信号生成部が、前記計測した燃料ガス温度と前記設定温度との偏差と、前記弁開度上限値とをパラメータとしたフィードバック制御に基づいて、前記弁の開度を指示する開度指令信号を生成する
ことを特徴とする制御方法。
【発明の詳細な説明】
【技術分野】
【０００１】
本発明は、ガスタービンに供給する燃料ガスの温度を制御するガスタービン制御装置及び制御方法に関する。
【背景技術】
【０００２】
ガスタービンは燃料ガスを燃焼器で燃焼し、その燃焼によって得られた高温高圧の燃焼ガスをタービンに供給してタービンを回転させている。ここで、ガスタービンの出力の制御の一つとして燃焼器に供給する前の燃料ガスの温度を増減させるガスタービンが存在する。燃料ガスの温度を昇温させることにより、燃焼器の燃焼により出力されてタービンに供給される燃焼ガスのタービン入口温度も上昇し、これにより、ガスタービンの出力を増加させることができる。なお本発明に関連するガスタービンの制御に関する技術が特許文献１に開示されている。
【先行技術文献】
【特許文献】
【０００３】
【特許文献１】特開２０１０−２８１３２５号公報
【発明の概要】
【発明が解決しようとする課題】
【０００４】
ところで、上述のように燃焼器に供給する前の燃料ガスの温度を昇温または降温させてガスタービンの出力を制御するために、現状では、出力に応じたタービン入口温度の指標値に基づいて、燃料ガスの設定温度を定め、燃料ガスがその設定温度になるように燃料ガスを昇温するための昇温装置へ供給している。燃料ガスを昇温装置に多く供給することで燃焼器に供給される燃料ガスの温度が上昇し、これにより燃焼器から出力された燃焼ガスの温度も上昇する。他方、燃料ガスの昇温装置への供給を減じて、昇温装置を迂回して燃焼器へ供給する燃料ガスを増加させることにより、燃焼器に供給される全体の燃料ガスの平均温度が減少し、これにより燃焼器から出力された燃焼ガスの温度も降下する。
【０００５】
ここで燃料ガスの温度を設定温度に合わせるために温度計を用いているが、当該温度計が、実際の温度を精度の良く計測するまでに時間がかかるため、実際には燃料ガスが設定温度に達したにもかかわらず、燃料ガスの昇温装置へ供給する供給量を維持してしまう。この場合、温度計による計測温度は燃料ガスの設定温度を越えていないが、実際には燃料ガスの設定温度を越えて上昇してしまうという問題が発生していた。
【０００６】
そこでこの発明は、実際の燃料ガスの温度が、ガスタービンの目標出力に応じた設定温度に合うように、精度良く制御することのできるガスタービン制御装置及び制御方法を提供することを目的としている。
【課題を解決するための手段】
【０００７】
上記目的を達成するために、本発明は、ガスタービンに供給する燃料ガスの温度を計測する燃料ガス温度計測部と、前記燃料ガスが燃焼器で燃焼して出力された燃焼ガスのタービン入口温度の指標値に基づいて前記燃料ガスの設定温度を算出する燃料ガス設定温度算出部と、前記燃焼器に供給される前に前記燃料ガスを昇温する昇温装置へ当該燃料ガスを供給する弁の開度の上限値であって、前記計測した燃料ガスの温度を除く前記ガスタービンの状態パラメータに応じた前記弁の開度の上限値を算出する弁開度上限値決定部と、さらに、前記弁の先行開度であって、前記計測した燃料ガスの温度を除く前記ガスタービンの状態パラメータに応じた前記弁の先行開度を算出する弁先行開度決定部とを備え、前記計測した燃料ガス温度と前記設定温度との偏差と、前記弁開度上限値とをパラメータとしたフィードバック制御に基づいて、前記弁の開度を指示する開度指令信号を生成するとともに、前記計測した燃料ガス温度と前記設定温度との偏差と、前記弁開度上限値とをパラメータとしたフィードバック制御に基づいて、前記先行開度を初期値とした前記弁の開度の調整を指示する開度指令信号を生成する弁開度指令信号生成部と、を備えることを特徴とするガスタービン制御装置である。
【０００８】
また本発明は、前記計測した燃料ガスの温度と、他のガスタービンの状態パラメータとに基づいて、前記燃料ガス温度計測部が直ちに計測できない現在の燃料ガスの適切な推定温度を算出する燃料ガス推定温度算出部とを備え、前記弁開度指令信号生成部は、前記計測した燃料ガス温度に代えて前記推定温度を用いて開度指令信号を生成することを特徴とする。
【０００９】
また本発明は、前記燃料ガス設定温度算出部は、単位時間毎に繰り返して算出する前記燃料ガスの設定温度が前回の設定温度から所定温度以上増加している場合には、前回の設定温度に所定温度を加えた値を新たな設定温度として算出することを特徴とする。
【００１０】
また本発明は、ガスタービンに供給する燃料ガスの温度を計測する燃料ガス温度計測部と、前記燃料ガスが燃焼器で燃焼して出力された燃焼ガスのタービン入口温度の指標値に基づいて前記燃料ガスの設定温度を算出し、単位時間毎に繰り返して算出する前記燃料ガスの設定温度が前回の設定温度から所定温度以上増加している場合には、前回の設定温度に所定温度を加えた値を新たな設定温度として算出する燃料ガス設定温度算出部と、前記燃焼器に供給される前に前記燃料ガスを昇温する昇温装置へ当該燃料ガスを供給する弁の開度の上限値であって、前記計測した燃料ガスの温度を除く前記ガスタービンの状態パラメータに応じた前記弁の開度の上限値を算出する弁開度上限値決定部と、前記計測した燃料ガス温度と前記設定温度との偏差と、前記弁開度上限値とをパラメータとしたフィードバック制御に基づいて、前記弁の開度を指示する開度指令信号を生成する弁開度指令信号生成部と、を備えることを特徴とする。
【００１１】
また本発明は、ガスタービンに供給する燃料ガスの温度を計測する燃料ガス温度計測部と、前記燃料ガスが燃焼器で燃焼して出力された燃焼ガスのタービン入口温度の指標値に基づいて前記燃料ガスの設定温度を算出する燃料ガス設定温度算出部と、前記燃焼器に供給される前に前記燃料ガスを昇温する昇温装置へ当該燃料ガスを供給する弁の先行開度であって、前記計測した燃料ガスの温度を除く前記ガスタービンの状態パラメータに応じた前記弁の先行開度を算出する弁先行開度決定部と、前記計測した燃料ガス温度と前記設定温度との偏差をパラメータとしたフィードバック制御に基づいて、前記先行開度を初期値とした前記弁の開度の調整を指示する開度指令信号を生成する弁開度指令信号生成部と、を備えることを特徴とするガスタービン制御装置である。
【００１２】
また本発明は、ガスタービンに供給する燃料ガスの温度を計測する燃料ガス温度計測部と、前記計測した燃料ガスの温度と、他のガスタービンの状態パラメータとに基づいて、前記燃料ガス温度計測部が直ちに計測できない現在の燃料ガスの適切な推定温度を算出する燃料ガス推定温度算出部と、前記燃料ガスが燃焼器で燃焼して出力された燃焼ガスのタービン入口温度の指標値に基づいて前記燃料ガスの設定温度を算出する燃料ガス設定温度算出部と、前記燃料ガスの前記推定温度と前記設定温度との偏差とをパラメータとしたフィードバック制御に基づいて、前記燃焼器に供給される前に前記燃料ガスを昇温する昇温装置へ当該燃料ガスを供給する弁の開度を指示する開度指令信号を生成する弁開度指令信号生成部と、を備えることを特徴とするガスタービン制御装置である。
【００１３】
また本発明は、ガスタービンに供給する燃料ガスの温度を計測する燃料ガス温度計測部と、前記燃料ガスが燃焼器で燃焼して出力された燃焼ガスのタービン入口温度の指標値に基づいて前記燃料ガスの設定温度を算出する燃料ガス設定温度算出部と、前記計測した燃料ガスの温度と前記設定温度との偏差をパラメータとしたフィードバック制御に基づいて、前記燃焼器に供給される前に前記燃料ガスを昇温する昇温装置へ当該燃料ガスを供給する弁の開度を指示する開度指令信号を生成する弁開度指令信号生成部と、を備え、前記燃料ガス設定温度算出部は、単位時間毎に繰り返して算出する前記燃料ガスの設定温度が前回の設定温度から所定温度以上増加している場合には、前回の設定温度に所定温度を加えた値を新たな設定温度として算出することを特徴とするガスタービン制御装置である。
【００１４】
またこの発明は、ガスタービン制御装置の制御方法であって、燃料ガス温度計測部が、ガスタービンに供給する燃料ガスの温度を計測し、燃料ガス設定温度算出部が、前記燃料ガスが燃焼器で燃焼して出力された燃焼ガスのタービン入口温度の指標値に基づいて前記燃料ガスの設定温度を算出し、さらに、弁先行開度決定部が、前記弁の先行開度であって、前記計測した燃料ガスの温度を除く前記ガスタービンの状態パラメータに応じた前記弁の先行開度を算出し、弁開度上限値決定部が、前記燃焼器に供給される前に前記燃料ガスを昇温する昇温装置へ当該燃料ガスを供給する弁の開度の上限値であって、前記計測した燃料ガスの温度を除く前記ガスタービンの状態パラメータに応じた前記弁の開度の上限値を算出するとともに、弁開度指令信号生成部が、前記計測した燃料ガス温度と前記設定温度との偏差と、前記弁開度上限値とをパラメータとしたフィードバック制御に基づいて、前記弁の開度を指示する開度指令信号を生成するとともに、前記計測した燃料ガス温度と前記設定温度との偏差と、前記弁開度上限値とをパラメータとしたフィードバック制御に基づいて、前記先行開度を初期値とした前記弁の開度の調整を指示する開度指令信号を生成することを特徴とする制御方法である。
【００１５】
またこの発明は、燃料ガス推定温度算出部が、前記計測した燃料ガスの温度と、他のガスタービンの状態パラメータとに基づいて、前記燃料ガス温度計測部が直ちに計測できない現在の燃料ガスの適切な推定温度を算出し、前記弁開度指令信号生成部は、前記計測した燃料ガス温度に代えて前記推定温度を用いて開度指令信号を生成することを特徴とする。
【００１６】
またこの発明は、前記燃料ガス設定温度算出部は、単位時間毎に繰り返して算出する前記燃料ガスの設定温度が前回の設定温度から所定温度以上増加している場合には、前回の設定温度に所定温度を加えた値を新たな設定温度として算出することを特徴とする。
【００１７】
また本発明は、ガスタービン制御装置の制御方法であって、燃料ガス温度計測部が、ガスタービンに供給する燃料ガスの温度を計測し、燃料ガス設定温度算出部が、前記燃料ガスが燃焼器で燃焼して出力された燃焼ガスのタービン入口温度の指標値に基づいて前記燃料ガスの設定温度を算出し、単位時間毎に繰り返して算出する前記燃料ガスの設定温度が前回の設定温度から所定温度以上増加している場合には、前回の設定温度に所定温度を加えた値を新たな設定温度として算出し、弁開度上限値決定部が、前記燃焼器に供給される前に前記燃料ガスを昇温する昇温装置へ当該燃料ガスを供給する弁の開度の上限値であって、前記計測した燃料ガスの温度を除く前記ガスタービンの状態パラメータに応じた前記弁の開度の上限値を算出し、弁開度指令信号生成部が、前記計測した燃料ガス温度と前記設定温度との偏差と、前記弁開度上限値とをパラメータとしたフィードバック制御に基づいて、前記弁の開度を指示する開度指令信号を生成することを特徴とする制御方法である。
【発明の効果】
【００１８】
本発明によれば、燃料ガスの温度が必要以上に高くなることを防ぐことができる。
【図面の簡単な説明】
【００１９】
【図１】ガスタービン制御装置を備えたガスタービンシステムの構成を示すブロック図である。
【図２】燃料ガス温度調整部の詳細な構成を示す図である。
【図３】第１の実施形態によるガスタービン制御装置の機能ブロック図である。
【図４】ガスタービン制御装置の制御概要を示す第１の図である。
【図５】ガスタービン制御装置の処理フローを示す第１の図である。
【図６】時間経過に応じた弁開度と温度の関係を示す第１の図である。
【図７】第１の実施形態における弁先行開度決定部を有するガスタービン制御装置の機能ブロック図である。
【図８】ガスタービン制御装置の制御概要を示す第２の図である。
【図９】ガスタービン制御装置の処理フローを示す第２の図である。
【図１０】時間経過に応じた弁開度と温度の関係を示す第２の図である。
【図１１】第２の実施形態によるガスタービン制御装置の機能ブロック図である。
【図１２】ガスタービン制御装置の制御概要を示す第３の図である。
【図１３】ガスタービン制御装置の処理フローを示す第３の図である。
【図１４】時間経過に応じた弁開度と温度の関係を示す第３の図である。
【図１５】第３の実施形態によるガスタービン制御装置の機能ブロック図である。
【図１６】ガスタービン制御装置の制御概要を示す第４の図である。
【図１７】ガスタービン制御装置の処理フローを示す第４の図である。
【図１８】時間経過に応じた弁開度と温度の関係を示す第４の図である。
【発明を実施するための形態】
【００２０】
以下、本発明の一実施形態によるガスタービン制御装置を図面を参照して説明する。
図１は同実施形態によるガスタービン制御装置を備えたガスタービンシステムの構成を示すブロック図である。
この図において、符号１はガスタービン、符号２はガスタービン制御装置である。なおガスタービン１は主にコンプレッサ部１１とタービン部１２と燃焼器１３から構成されており、燃焼器１３から出力される燃焼ガスのタービン部１２の入口をタービン入口１４と呼ぶこととする。またガスタービンシステムは、３方弁１５、フュエルガスヒータ（ＦＧＨ；Fuel Gas Heater）１６、圧力調整弁１７、流量調整弁１８によって構成されている。
【００２１】
ここで、ガスタービン１の燃焼器１３には燃料ガスが供給されるが、当該燃料ガスは、まず燃料供給元からガス管を通じて３方弁１５に供給される。また３方弁１５は供給された燃料ガスを、当該燃料ガスの温度を昇温させる昇温装置であるフュエルガスヒータ（ＦＧＨ）１６側のガス管またはＦＧＨ１６を迂回させる側のガス管へと送出する。ＦＧＨ１６を通過した燃料ガスまたはＦＧＨ１６を迂回した燃料ガスは、ガス管を通って圧力調整弁１７、流量調整弁１８を介して、燃焼器１３へ供給される。また符号１９は圧力調整弁１７に供給される前の燃料ガスの温度を計測する燃料ガス温度計である。
【００２２】
ガスタービン制御装置２はガスタービン１を制御する装置である。本実施形態においては、ガスタービン制御装置２は、燃料ガス温度計１９から入力した燃料ガス温度や、その他のガスタービン１の各種状態パラメータなどを入力し、３方弁１５からＦＧＨ１６側のガス管へ送出される燃料ガスの流量や、３方弁１５からＦＧＨ１６を迂回して圧力調整弁１７へ送出される燃料ガスの流量を、当該３方弁のＦＧＨ１６側に繋がる弁を開閉して制御する。なお、ガスタービン制御装置２は、３方弁１５のＦＧＨ１６側の弁開度を開閉する。３方弁１５は、ＦＧＨ１６側への燃料ガスの送出割合と、ＦＧＨ１６を迂回する側への燃料ガスの送出割合との合計が当該３方弁１５の総送出量の１００％となるように制御される。以下、３方弁１５、ＦＧＨ１６、燃料ガス温度計１９を囲んだ破線枠の箇所を、説明の便宜上、燃料ガス温度調整部と呼ぶこととする。
【００２３】
図２は燃料ガス温度調整部の詳細な構成を示す図である。
この図で示す燃料ガスラインの系統は、図１で示した燃料ガス温度調整部をより詳細に示した図である。図２で示すような燃料ガスラインの系統において、燃料ガスは、ノードG_0から供給され、３方弁１５によってＦＧＨ１６が備わるノードG_1側と、ＦＧＨ１６を迂回してノードG_2側へそれぞれ送出される。また燃料ガスは、ノードG_1に供給されることによりＦＧＨ１６で昇温され、ノードG_2へ送出される。そしてノードG_2において、ＦＧＨ１６を介して送出された燃料ガスと、ＦＧＨ１６を迂回して３方弁１５から送出された燃料ガスとが合流し、遮蔽弁を介してノードG_3へ送出される。なお図２の燃料ガスラインの下に示すＴＣＡ（Turbine Cooling Air）ラインはタービンを冷却する冷却空気の流れを示している。当該冷却空気はガスタービンの車室から出力されて、ノードTCA_1、ノードTCA_2を順次流れる。冷却空気は車室から送出された時点で３００度〜４００度程度の温度であり、ノードTCA_2において別のＦＧＨを加熱して空気入口ノードから流入した大気によって冷やされる。また、空気入口ノードから流入した大気はノードTCA_2において加熱されたＦＧＨにより大気温度から３００度程度にまで加熱され、燃料ガスラインのＦＧＨ１６を加熱する。そしてＦＧＨ１６の熱により３方弁１５からノードG_１側に送出された燃料ガスが加熱される。
【００２４】
＜第１の実施形態＞
図３は第１の実施形態によるガスタービン制御装置の機能ブロック図である。
この図が示すように第１の実施形態によるガスタービン制御装置２は、燃料ガス温度計測部２１、燃料ガス設定温度算出部２２、弁開度上限値決定部２３、弁開度指令信号生成部２４の各処理部を備えている。
燃料ガス温度計測部２１は、燃料ガス温度計１９からの信号に基づいて、ガスタービンに供給する燃料ガスの温度を計測する処理部である。
また燃料ガス設定温度算出部２２は、燃料ガスが燃焼器１３で燃焼して出力された燃焼ガスのタービン入口温度の指標値に基づいて燃料ガスの設定温度を算出する処理部である。
また弁開度上限値決定部２３は、ＦＧＨ１６へ燃料ガスを供給する３方弁１５のＦＧＨ１６側の弁の開度の上限値であって、計測した燃料ガスの温度を除くガスタービン１の状態パラメータに応じた弁の開度の上限値を算出する処理部である。
また弁開度指令信号生成部２４は、計測した燃料ガス温度と設定温度との偏差と、弁開度上限値とをパラメータとしたフィードバック制御に基づいて、３方弁１５のＦＧＨ１６側の弁の開度を指示する開度指令信号を生成する処理部である。
【００２５】
図４はガスタービン制御装置の制御概要を示す第１の図である。
図５はガスタービン制御装置の処理フローを示す第１の図である。
以下、第１の実施形態によるガスタービン制御装置２の処理の詳細について説明する。
ガスタービン制御装置２は処理を開始するとまず、燃料ガス温度計測部２１が、燃料ガス温度計１９より、ノードG_2を通る現在の燃料ガスの温度を示す信号を入力する。そして燃料ガス温度計測部２１は当該温度を示す信号に基づいて温度を特定し（ステップＳ１０１）、弁開度指令信号生成部２４へ出力する。
【００２６】
また燃料ガス設定温度算出部２２は、ガスタービン１の目標の出力値に応じたタービン入口温度の指標値（ＣＬＣＳＯ）を入力する。タービン入口温度の指標値（ＣＬＣＳＯ）は、ガスタービン１の目標の出力値などから定められる値であり、燃料ガス設定温度算出部２２が外部の処理部や記憶部などから読み取った情報である。そして、燃料ガス設定温度算出部２２は、入力したタービン入口温度の指標値と、所定の関数を用いて、燃料ガスが燃焼器１３で燃焼されることによってタービン入口温度が入力したタービン入口温度の指標値となるような、ノードG_2における燃料ガスの設定温度を算出する（ステップＳ１０２）。そして燃料ガス設定温度算出部２２は、算出した燃料ガスの設定温度を弁開度指令信号生成部２４へ出力する。
【００２７】
また弁開度上限値決定部２３は、３方弁１５のＦＧＨ１６側の弁開度の上限値を、大気温度、大気圧力、車室圧、車室温度の何れか１つまた複数を用いて算出する（ステップＳ１０３）。例えば、弁開度上限値決定部２３は、複数の異なる大気温度に対応した弁開度の上限値それぞれをテーブルデータとして記憶しており、入力した大気温度とテーブルデータに記録されている複数の異なる大気温度に応じた弁開度とを用いて、補間計算により、３方弁１５のＦＧＨ１６側の弁開度の上限値を算出する。なお、弁開度上限値決定部２３は、大気温度、大気圧力、車室圧、車室温度の何れか１つまた複数の値を所定の関数に入力し、大気温度、大気圧力、車室圧、車室温度等の状態パラメータ１つまたは複数の値に応じた３方弁１５のＦＧＨ１６側の弁開度の上限値を算出するようにしてもよい。また状態パラメータとしては、大気温度、大気圧力、車室圧、車室温度以外のパラメータを用いてもよい。そして、弁開度上限値決定部２３は、算出した３方弁１５のＦＧＨ１６側の弁開度の上限値を弁開度指令信号生成部２４へ出力する。なお、弁開度上限値決定部２３によって算出される弁開度の上限値は、ノードG_2における実際の温度が規定値を超えないような弁開度の上限値である。
【００２８】
そして、上述の処理により、弁開度指令信号生成部２４は、ノードG_2を通る現在の燃料ガスの温度と、燃料ガスの設定温度と、３方弁１５のＦＧＨ１６側の弁開度の上限値とを入力する。そして弁開度指令信号生成部２４は、現在の燃料ガスの温度と、燃料ガスの設定温度の差分を算出する（ステップＳ１０４）。そして弁開度指令信号生成部２４は、現在の燃料ガスの温度と、燃料ガスの設定温度の差分に応じた３方弁１５のＦＧＨ１６側の弁開度を、フィードバック制御により算出する（ステップＳ１０５）。この時、弁開度指令信号生成部２４は、算出した弁開度と、弁開度上限値決定部２３から入力した弁開度の上限値とを比較する（ステップＳ１０６）。そして弁開度指令信号生成部２４は、算出した弁開度が、入力した弁開度の上限値未満であれば、算出した弁開度を示す弁開度指令信号を３方弁１５へ出力する（ステップＳ１０７）。他方、弁開度指令信号生成部２４は、算出した弁開度が、入力した弁開度の上限値以上であれば、入力した弁開度の上限値の開度を示す弁開度指令信号を３方弁１５へ出力する（ステップＳ１０８）。
【００２９】
これにより、３方弁１５は弁開度指令信号をガスタービン制御装置２より入力する。そして、３方弁１５は、入力した弁開度指令信号に基づいて、ＦＧＨ１６側の弁開度が、当該ガスタービン制御装置２より入力した弁開度となるように弁開度を調整する。
【００３０】
図６は時間経過に応じた弁開度と温度の関係を示す第１の図である。
図６（ｂ）で示すように、出力の増加制御に応じて３方弁１５のＦＧＨ１６側の弁開度を増加させるが、弁開度上限値を３方弁１５のＦＧＨ１６側の弁開度の上限として制御する。燃料ガス温度計１９による温度の計測遅れの影響により、ＦＧＨ１６側に必要以上に長い間燃料ガスを送出し続けても、図６（ａ）で示すように、弁開度上限値によって、ノードG_2における実際の温度が規定値を超えることがなくなる。これにより、燃料ガスの温度が必要以上に高くなることを防ぐことができる。
【００３１】
図７は第１の実施形態における弁先行開度決定部を有するガスタービン制御装置の機能ブロック図である。
次に、第１の実施形態における弁先行開度決定部を有するガスタービン制御装置２について説明する。なお、先に説明した実施形態によるガスタービン制御装置２の構成と同一の構成については、同一の符号を用いて説明することとする。
図７で示すように第１の実施形態における弁先行開度決定部を有するガスタービン制御装置２は、燃料ガス温度計測部２１、燃料ガス設定温度算出部２２、弁先行開度決定部２５、弁開度指令信号生成部２４の各処理部を備えている。
【００３２】
燃料ガス温度計測部２１は、燃料ガス温度計１９からの信号に基づいて、ガスタービン１に供給する燃料ガスの温度を計測する処理部である。
また燃料ガス設定温度算出部２２は、燃料ガスが燃焼器１３で燃焼して出力された燃焼ガスのタービン入口温度の指標値に基づいて燃料ガスの設定温度を算出する処理部である。
また弁先行開度決定部２５は、ＦＧＨ１６へ燃料ガスを供給する３方弁１５のＦＧＨ１６側の弁の先行開度であって、計測した燃料ガスの温度を除くガスタービン１の状態パラメータに応じた弁の先行開度を算出する処理部である。
また弁開度指令信号生成部２４は、計測した燃料ガス温度と設定温度との偏差をパラメータとしたフィードバック制御に基づいて、先行開度を初期値とした３方弁１５のＦＧＨ１６側の弁の開度の調整を指示する開度指令信号を生成する処理部である。
【００３３】
図８はガスタービン制御装置の制御概要を示す第２の図である。
図９はガスタービン制御装置の処理フローを示す第２の図である。
以下、第１の実施形態における弁先行開度決定部を有する実施形態によるガスタービン制御装置２の処理の詳細について説明する。
ガスタービン制御装置２は処理を開始すると、まず、弁先行開度決定部２５が、３方弁１５のＦＧＨ１６側の弁の先行開度を、タービン入口温度の指標値（ＣＬＣＳＯ）、大気温度、ガスタービン出力などの、計測した燃料ガスの温度を除くガスタービンの状態パラメータのうちの何れか１つまたは複数を用いて算出する（ステップＳ２０１）。例えば、弁先行開度決定部２５は、複数の異なる大気温度に対応した弁先行開度をテーブルデータとして記憶しており、入力した大気温度とテーブルデータに記録されている複数の異なる大気温度に応じた弁先行開度とを用いて、補間計算により、３方弁１５のＦＧＨ１６側の弁先行開度を算出する。
【００３４】
なお、弁先行開度決定部２５は、タービン入口温度の指標値（ＣＬＣＳＯ）、大気温度、ガスタービン出力などの、計測した燃料ガスの温度を除くガスタービンの状態パラメータのうちの何れか１つまたは複数の値を所定の関数に入力し、その入力した１つまたは複数の状態パラメータの値に応じた３方弁１５のＦＧＨ１６側の弁先行開度を算出するようにしてもよい。また状態パラメータとしては、タービン入口温度の指標値（ＣＬＣＳＯ）、大気温度、ガスタービン出力以外の他のパラメータ（但し、計測した燃料ガスの温度を除くパラメータ）を用いてもよい。そして、弁先行開度決定部２５は、算出した３方弁１５のＦＧＨ１６側の弁先行開度を弁開度指令信号生成部２４へ出力する。なお、弁先行開度決定部２５によって算出される弁先行開度は、例えば、弁先行開度決定部２５に入力された状態パラメータ（計測した燃料ガスの温度を除くパラメータ）に基づいて判定できる弁開度である。弁開度指令信号生成部２４は弁先行開度をメモリ等に記憶しておく。
【００３５】
そして、弁開度指令信号生成部２４は、弁先行開度決定部２５から弁先行開度を入力すると、その弁先行開度を示す弁開度指令信号を３方弁１５へ出力する（ステップＳ２０２）。これにより、３方弁１５は弁開度指令信号をガスタービン制御装置２より入力する。そして、３方弁１５は、入力した弁開度指令信号に基づいて、ＦＧＨ１６側の弁開度が、当該ガスタービン制御装置２より入力した弁開度となるように弁開度を調整する。
【００３６】
また燃料ガス温度計測部２１が、燃料ガス温度計１９より、ノードG_2を通る現在の燃料ガスの温度を示す信号を入力する。そして燃料ガス温度計測部２１は当該温度を示す信号に基づいて温度を特定し（ステップＳ２０３）、弁開度指令信号生成部２４へ出力する。
【００３７】
また燃料ガス設定温度算出部２２は、ガスタービン１の目標の出力値に応じたタービン入口温度の指標値（ＣＬＣＳＯ）を入力する。タービン入口温度の指標値（ＣＬＣＳＯ）は、ガスタービン１の目標の出力値などから定められる値であり、燃料ガス設定温度算出部２２が外部の処理部や記憶部などから読み取った情報である。そして、燃料ガス設定温度算出部２２は、入力したタービン入口温度の指標値と所定の関数を用いて、燃料ガスが燃焼器１３で燃焼されることによって、タービン入口温度が、入力したタービン入口温度の指標値となるような、ノードG_2における燃料ガスの設定温度を算出する（ステップＳ２０４）。そして燃料ガス設定温度算出部２２は、算出した燃料ガスの設定温度を弁開度指令信号生成部２４へ出力する。
【００３８】
そして、弁開度指令信号生成部２４は、弁先行開度を示す弁開度指令信号を３方弁１５へ出力した後に、ノードG_2を通る現在の燃料ガスの温度と、燃料ガスの設定温度とを入力する。そして弁開度指令信号生成部２４は、現在の燃料ガスの温度と、燃料ガスの設定温度の差分を算出する（ステップＳ２０５）。そして弁開度指令信号生成部２４は、現在の燃料ガスの温度と、燃料ガスの設定温度の差分に応じた３方弁１５のＦＧＨ１６側の弁開度を、フィードバック制御により算出する（ステップＳ２０６）。そして、弁開度指令信号生成部２４は、算出した弁開度を示す弁開度補正値を用いて、メモリ等に記憶する弁先行開度を補正する（ステップＳ２０７）。つまり、弁先行開度に弁開度補正値を加算する。そして、弁開度指令信号生成部２４は、弁先行開度に弁開度補正値を加算した弁開度指令信号を生成して、その弁開度指令信号を３方弁１５へ出力する（ステップＳ２０８）。
【００３９】
これにより、３方弁１５は弁開度指令信号をガスタービン制御装置２より入力する。そして、３方弁１５は、入力した弁開度指令信号に基づいて、ＦＧＨ１６側の弁開度が、当該ガスタービン制御装置２より入力した弁開度指令信号が示す弁開度となるように弁開度を調整する。
【００４０】
図１０は時間経過に応じた弁開度と温度の関係を示す第２の図である。
図１０（ｂ）で示すように、出力の増加制御に応じて３方弁１５のＦＧＨ１６側の弁開度を増加させるが、燃料ガスの計測温度以外の状態パラメータに基づく弁先行開度を用いて、予め３方弁１５のＦＧＨ１６側の弁開度を決定しておく。そして、その後、弁開度補正値を用いて、ノードG_2を通る燃料ガスの温度が設定温度となるように補正制御を行う。ここで、弁先行開度は、第１の実施形態における弁開度上限値以下の値であるとともに、タービン入口温度がタービン入口温度の指標値（ＣＬＣＳＯ）に近づくような十分な３方弁１５のＦＧＨ１６側の弁開度を示す値である。このように制御することで、過渡的には燃料ガス温度計１９が計測する温度に頼ることなく、弁開度を調整する。したがって図１０（ａ）で示すように、弁先行開度によって、ノードG_2における実際の温度が規定値を超えることがなくなる。これにより、燃料ガスの温度が必要以上に高くなることを防ぐことができる。
【００４１】
なお、ガスタービン制御装置２は、第２の実施形態の制御と、第１の実施形態の制御を共に行うようにしても良い。つまり、予め第２の実施形態の制御により先行開度によって３方弁１５のＦＧＨ１６側の弁開度を決定しておき、その弁開度を、第１の実施形態によって算出した弁開度指令信号により補正するようにしてもよい。
【００４２】
＜第２の実施形態＞
図１１は第２の実施形態によるガスタービン制御装置の機能ブロック図である。
次に、第２の実施形態によるガスタービン制御装置２について説明する。なお、第１の実施形態によるガスタービン制御装置２の構成と同一の構成については、同一の符号を用いて説明することとする。
図１１で示すように第１の実施形態における弁先行開度決定部を有する実施形態によるガスタービン制御装置２は、燃料ガス温度計測部２１、燃料ガス推定温度算出部２６、燃料ガス設定温度算出部２２、弁開度指令信号生成部２４の各処理部を備えている。
【００４３】
燃料ガス温度計測部２１は、燃料ガス温度計１９からの信号に基づいて、ガスタービン１に供給する燃料ガスの温度を計測する処理部である。
また燃料ガス推定温度算出部２６は、燃料ガス温度計測部２１が計測した燃料ガスの温度と、他のガスタービンの状態パラメータとに基づいて、燃料ガス温度計測部２１が直ちに計測できない現在の燃料ガスについての、適切な精度良い推定温度を算出する処理部である。
また燃料ガス設定温度算出部２２は、燃料ガスが燃焼器１３で燃焼して出力された燃焼ガスのタービン入口温度の指標値に基づいて燃料ガスの設定温度を算出する処理部である。
また弁開度指令信号生成部２４は、計測した燃料ガス温度に代えて燃料ガスの推定温度を用い、当該推定温度と設定温度との偏差とをパラメータとしたフィードバック制御に基づいて、３方弁１５のＦＧＨ１６側の弁の開度を指示する開度指令信号を生成する処理部である。
【００４４】
図１２はガスタービン制御装置の制御概要を示す第３の図である。
図１３はガスタービン制御装置の処理フローを示す第３の図である。
以下、第２の実施形態によるガスタービン制御装置２の処理の詳細について説明する。
ガスタービン制御装置２は処理を開始すると、まず、燃料ガス温度計測部２１が、燃料ガス温度計１９より、ノードG_2を通る燃料ガスの温度を示す信号を入力する。そして燃料ガス温度計測部２１は当該温度を示す信号に基づいて温度を特定し（ステップＳ３０１貫通孔３２は、比較形態と同様のものである。
【００４５】
そして、燃料ガス推定温度算出部２６は、入力した現在の燃料ガスの温度や、その他の入力したガスタービン１の状態パラメータの一つまたは複数を用いて、燃料ガス温度計１９の計測遅れによって計測できていない実際の燃料ガスの温度の推定値を算出する（ステップＳ３０２）。例えば、ガスタービン１の状態パラメータとしては、燃料ガス温度計測部２１から入力した燃料ガス温度計１９の出力に基づく現在の燃料ガスの温度や、車室温度、燃料ガス流量などのうちの一つまたは複数である。
【００４６】
具体的には、燃料ガス推定温度算出部２６は、各状態パラメータの値一つまたは複数を入力値、そのときの燃料ガスの温度を出力値としたときの伝達関数を用いて、実際の温度の推定値を算出する。または燃料ガス推定温度算出部２６は、入力した状態パラメータの値１つまたは複数と物理モデルとを用いて、実際の温度の推定値を算出する。
そして燃料ガス推定温度算出部２６は、算出したノードG_2における燃料ガスの推定温度を弁開度指令信号生成部２４へ出力する。
【００４７】
また燃料ガス設定温度算出部２２は、ガスタービン１の目標の出力値に応じたタービン入口温度の指標値（ＣＬＣＳＯ）を入力する。タービン入口温度の指標値（ＣＬＣＳＯ）は、ガスタービン１の目標の出力値などから定められる値であり、燃料ガス設定温度算出部２２が外部の処理部や記憶部などから読み取った情報である。そして、燃料ガス設定温度算出部２２は、入力したタービン入口温度の指標値と、所定の関数を用いて、燃料ガスが燃焼器１３で燃焼されることによってタービン入口温度が入力したタービン入口温度の指標値となるような、ノードG_2における燃料ガスの設定温度を算出する（ステップＳ３０３）。そして燃料ガス設定温度算出部２２は、算出した燃料ガスの設定温度を弁開度指令信号生成部２４へ出力する。
【００４８】
そして、上述の処理により、弁開度指令信号生成部２４は、ノードG_2を通る燃料ガスの推定温度と、燃料ガスの設定温度とを入力する。そして弁開度指令信号生成部２４は、燃料ガスの推定温度と、燃料ガスの設定温度の差分を算出する（ステップＳ３０４）。そして弁開度指令信号生成部２４は、燃料ガスの推定温度と、燃料ガスの設定温度の差分に応じた３方弁１５のＦＧＨ１６側の弁開度を、フィードバック制御により算出する（ステップＳ３０５）。そして、弁開度指令信号生成部２４は、算出した弁開度を示す弁開度指令信号を３方弁１５へ出力する（ステップＳ３０６）。
【００４９】
これにより、３方弁１５は弁開度指令信号をガスタービン制御装置２より入力する。そして、３方弁１５は、入力した弁開度指令信号に基づいて、ＦＧＨ１６側の弁開度が、当該ガスタービン制御装置２より入力した弁開度となるように弁開度を調整する。
【００５０】
図１４は時間経過に応じた弁開度と温度の関係を示す第３の図である。
図１４（ｂ）で示すように、出力の増加制御に応じて３方弁１５のＦＧＨ１６側の弁開度を増加させるが、ノードG_2における推定温度を用いて、弁開度上限値を３方弁１５のＦＧＨ１６側の弁開度を制御する。従って、燃料ガス温度計１９による温度の計測遅れの影響が軽減され、これにより、図１４（ａ）で示すように、ノードG_2における実際の温度が推定温度となるように制御されることとなり、燃料ガスの温度が必要以上に高くなることを防ぐことができる。
【００５１】
なお、ガスタービン制御装置２は、第２の実施形態の制御と、第１の実施形態の制御を共に行うようにしても良い。つまり、ガスタービン制御装置２は、第３の実施形態の制御によりノードG_2における推定温度を算出し、その推定温度と設定温度の差分に応じた３方弁１５のＦＧＨ１６側の弁開度を、フィードバック制御により算出する。この時、ガスタービン制御装置２の弁開度指令信号生成部２４は、算出した弁開度と、弁開度上限値決定部２３から入力した弁開度の上限値とを比較する。そしてガスタービン制御装置２の弁開度指令信号生成部２４は、算出した弁開度が、入力した弁開度の上限値未満であれば、算出した弁開度を示す弁開度指令信号を３方弁１５へ出力する。他方、ガスタービン制御装置２の弁開度指令信号生成部２４は、算出した弁開度が、入力した弁開度の上限値以上であれば、入力した弁開度の上限値の開度を示す弁開度指令信号を３方弁１５へ出力する。
【００５２】
またガスタービン制御装置２は、第１，第２の実施形態の制御を一緒に行うようにしてもよい。この場合、先行開度によって３方弁１５のＦＧＨ１６側の弁開度を決定しておき、その弁開度を、第２の実施形態と第１の実施形態との制御を共に行って算出した弁開度指令信号により補正する。
【００５３】
＜第３の実施形態＞
図１５は第３の実施形態によるガスタービン制御装置の機能ブロック図である。
次に、第３実施形態によるガスタービン制御装置２について説明する。なお、第１，第２の実施形態によるガスタービン制御装置２の構成と同一の構成については、同一の符号を用いて説明することとする。
図１５で示すように第３の実施形態によるガスタービン制御装置２は、燃料ガス温度計測部２１、燃料ガス設定温度算出部２２、燃料ガス設定温度算出部２２、弁開度指令信号生成部２４の各処理部を備えている。
【００５４】
燃料ガス温度計測部２１は、燃料ガス温度計１９からの信号に基づいて、ガスタービンに供給する燃料ガスの温度を計測する処理部である。
また燃料ガス設定温度算出部２２は、燃料ガスが燃焼器１３で燃焼して出力された燃焼ガスのタービン入口温度の指標値に基づいて燃料ガスの設定温度を算出する処理部である。なお燃料ガス設定温度算出部２２は、単位時間毎に繰り返して算出する燃料ガスの設定温度が前回算出した設定温度から所定温度以上増加している場合には、前回の設定温度に予め定められた所定温度を加えた値を新たな設定温度として算出する。
また弁開度指令信号生成部２４は、計測した燃料ガス温度と設定温度との偏差とをパラメータとしたフィードバック制御に基づいて、３方弁１５のＦＧＨ１６側の弁の開度を指示する開度指令信号を生成する処理部である。
【００５５】
図１６はガスタービン制御装置の制御概要を示す第４の図である。
図１７はガスタービン制御装置の処理フローを示す第４の図である。
以下、第３の実施形態によるガスタービン制御装置の処理の詳細について説明する。
ガスタービン制御装置２は処理を開始するとまず、燃料ガス温度計測部２１が、燃料ガス温度計１９より、ノードG_2を通る現在の燃料ガスの温度を示す信号を入力する。そして燃料ガス温度計測部２１は当該温度を示す信号に基づいて温度を特定し（ステップＳ４０１）、弁開度指令信号生成部２４へ出力する。
【００５６】
また燃料ガス設定温度算出部２２は、ガスタービン１の目標の出力値に応じたタービン入口温度の指標値（ＣＬＣＳＯ）を入力する。タービン入口温度の指標値（ＣＬＣＳＯ）は、ガスタービン１の目標の出力値などから定められる値であり、燃料ガス設定温度算出部２２が外部の処理部や記憶部などから読み取った情報である。そして、燃料ガス設定温度算出部２２は、入力したタービン入口温度の指標値と、所定の関数を用いて、燃料ガスが燃焼器１３で燃焼されることによってタービン入口温度が入力したタービン入口温度の指標値となるような、ノードG_2における燃料ガスの設定温度を算出する。なお燃料ガス設定温度算出部２２はこの設定温度の算出を単位時間毎に繰り返している。そして燃料ガス設定温度算出部２２は、単位時間毎に繰り返して算出する燃料ガスの設定温度が前回算出した設定温度から所定温度以上増加している場合には、前回の設定温度に所定温度を加えた値を新たな設定温度として算出する（ステップＳ４０２）。これにより、燃料ガス設定温度算出部２２は出力の変化に応じたノードG_2における燃料ガスの設定温度の変化が所定の変化率以下となるように抑えるレートリミッタの役割を果たす。そして燃料ガス設定温度算出部２２は、算出した燃料ガスの設定温度を弁開度指令信号生成部２４へ出力する。
【００５７】
そして、上述の処理により、弁開度指令信号生成部２４は、ノードG_2を通る燃料ガスの計測温度と、ガスタービン１の出力に応じた燃料ガスの設定温度とを入力する。そして弁開度指令信号生成部２４は、燃料ガスの計測温度と、燃料ガスの設定温度の差分を算出する（ステップＳ４０３）。そして弁開度指令信号生成部２４は、燃料ガスの計測温度と、燃料ガスの設定温度の差分に応じた３方弁１５のＦＧＨ１６側の弁開度を、フィードバック制御により算出する（ステップＳ４０４）。そして、弁開度指令信号生成部２４は、算出した弁開度を示す弁開度指令信号を３方弁１５へ出力する（ステップＳ４０５）。
【００５８】
これにより、３方弁１５は弁開度指令信号をガスタービン制御装置２より入力する。そして、３方弁１５は、入力した弁開度指令信号に基づいて、ＦＧＨ１６側の弁開度が、当該ガスタービン制御装置２より入力した弁開度となるように弁開度を調整する。
【００５９】
図１８は時間経過に応じた弁開度と温度の関係を示す第４の図である。
図１８（ｂ）で示すように、出力の増減制御に応じて３方弁１５のＦＧＨ１６側の弁開度を増減させるにあたり、燃料ガス温度計１９が実際の温度に近い温度を計測できる単位時間あたりの温度変化量に、設定温度の単位時間当たりの変化量が一致するよう、当該設定温度の単位時間当たりの変化量を抑える制御を行う（図１８（ａ））。これにより、燃料ガス温度計１９が計測した温度と乖離が出ない程度の変化率で設定温度の値を増減させるため、ノードG_2における実際の温度が規定値を超えることがなくなる。これにより、燃料ガスの温度が必要以上に高くなることを防ぐことができる。
【００６０】
なお、ガスタービン制御装置２は、第３の実施形態の制御と、第１の実施形態の制御を共に行うようにしても良い。
また、ガスタービン制御装置２は、第３の実施形態の制御と、第１，２の実施形態の制御を共に行うようにしても良い。
つまり、ガスタービン制御装置２の燃料ガス設定温度算出部２２は、第３の実施形態の制御と、その他の実施形態の制御とを共に行う場合、入力したタービン入口温度の指標値と、所定の関数を用いて、燃料ガスが燃焼器１３で燃焼されることによってタービン入口温度が入力したタービン入口温度の指標値となるような、ノードG_2における燃料ガスの設定温度を算出する。このとき燃料ガス設定温度算出部２２は、単位時間毎に繰り返して算出する燃料ガスの設定温度が前回算出した設定温度から所定温度以上増加している場合には、前回の設定温度に所定温度を加えた値を新たな設定温度として算出する。
【００６１】
なお上述のガスタービン制御装置２は内部に、コンピュータシステムを有してよい。そして、上述したガスタービン制御装置２における各処理の過程は、プログラムの形式でコンピュータ読み取り可能な記録媒体に記憶されており、このプログラムをコンピュータが読み出して実行することによって、上記処理が行われてよい。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００６２】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００６３】
１；ガスタービン
２；ガスタービン制御装置
１１；コンプレッサ部
１２；タービン部
１３；燃焼器
１４；タービン入口
１５；３方弁
１６；ＦＧＨ
１７；圧力調整弁
１８；流量調整弁
２１；燃料ガス温度計測部
２２；燃料ガス設定温度算出部
２３；弁開度上限値決定部
２４；弁開度指令信号生成部
２５；弁先行開度決定部
２６；燃料ガス推定温度算出部
【図１】
0005984435.tif 000002
【図２】
0005984435.tif 000003
【図３】
0005984435.tif 000004
【図４】
0005984435.tif 000005
【図５】
0005984435.tif 000006
【図６】
0005984435.tif 000007
【図７】
0005984435.tif 000008
【図８】
0005984435.tif 000009
【図９】
0005984435.tif 000010
【図１０】
0005984435.tif 000011
【図１１】
0005984435.tif 000012
【図１２】
0005984435.tif 000013
【図１３】
0005984435.tif 000014
【図１４】
0005984435.tif 000015
【図１５】
0005984435.tif 000016
【図１６】
0005984435.tif 000017
【図１７】
0005984435.tif 000018
【図１８】
0005984435.tif 000019